(57)【要約】      （修正有）【課題】現場で３段階の位置で正確に分断でき、且つ斜めに切断することが少ない空洞コンクリートブロックを提供する。【解決手段】空洞部２が３個横方向に設けられたコンクリートブロックＡの空洞部２の開口縁の横方向の中間位置にＴ字状マーク３を対向して設け、又横方向の長さの１／４と３／４の位置それぞれにＬ字状マーク４を対向して設ける。このＴ字状マーク３とＬ字状マーク４を用いてコンクリートブロックを１／４，１／２，３／４の長さで正確に切断する。【選択図】図１
0003158144.tif 000002
【実用新案登録請求の範囲】
【請求項１】
横辺が最も長く厚みの幅が最も短い直方体コンクリートブロックで、縦方向に貫通した３個の同形の空洞を一定ピッチで横方向に３個設け、ブロックの両端それぞれをコ字状に横方向突出して両端それぞれに前記空洞の縦半分の空洞を有する開口空間を形成した空洞コンクリートブロックに於いて、空洞の開口したコンクリートブロックの上面の中央の空洞開口の横方向中間位置で幅方向に対向した開口縁それぞれにコンクリートブロックの横長さの１／２を示すＴ字状のマークを設け、又その左右の空洞の横方向の中間位置で幅方向に対向した開口縁それぞれにコンクリートブロックの横長さの１／４を示すＬ字状マークを設けたことを特徴とする空洞コンクリートブロック。
【請求項２】
マークがコンクリートブロックの空洞開口面のコンクリート面を陥凹させてＴ字状又はＬ字状に形成させた請求項１記載の空洞コンクリートブロック。
【考案の詳細な説明】
【技術分野】
【０００１】
本発明は、土木建築で広使用されているコンクリートブロックとして広く使用されている空洞コンクリートブロックであって、１個の空洞コンクリートブロックを１／４，１／２，３／４に縦に分断して規定外の寸法形状のもので使用することを容易にできやすくする技術に関する。
【背景技術】
【０００２】
従来、空洞コンクリートブロックの寸法は、例えば特開２００６−１０４８１８号公報で知られるように、ＪＩＳ規格で定められていて複数種のものが使用されているのみである。横長さ３９０ｍｍ、幅１００，１２０，１５０，１９０ｍｍの寸法のものが広く使用されている。
しかしながら、コンクリートブロックを配列していくのに、規格の定寸のコンクリートブロックでは寸法に過不足が生じる場合が多い。この場合、過不足の寸法に応じて規定のコンクリートブロックをメジャーを用いて所定の寸法に切断して使用することが多い。
しかし、メジャーで測定して切断機でコンクリートブロックを切断するのは現場であり、そのため、正確な寸法位置での切断がなされず、又切断位置を間違って切断が斜めになされることがあった。間違った寸法、斜め切断のブロックでは使用できず、再度測定して正しい寸法で直角に正しく切断するようにしていた。
【先行技術文献】
【特許文献】
【０００３】
【特許文献１】特開２００６−１０４８１８号公報
【考案の概要】
【考案が解決しようとする課題】
【０００４】
本考案が解決ようようとする課題は、従来の空洞コンクリートブロックの作業における上記の問題点を解決し、現場で３段階の位置で正確に分断でき且つ斜めに切断することが少ない空洞コンクリートブロックを提供することにある。
【課題を解決するための手段】
【０００５】
かかる課題を解決した本考案の構成は、
１）  横辺が最も長く厚みの幅が最も短い直方体コンクリートブロックで、縦方向に貫通した３個の同形の空洞を一定ピッチで横方向に３個設け、ブロックの両端それぞれをコ字状に横方向突出して両端それぞれに前記空洞の縦半分の空洞を有する開口空間を形成した空洞コンクリートブロックに於いて、空洞の開口したコンクリートブロックの上面の中央の空洞開口の横方向中間位置で幅方向に対向した開口縁それぞれにコンクリートブロックの横長さの１／２を示すＴ字状のマークを設け、又その左右の空洞の横方向の中間位置で幅方向に対向した開口縁それぞれにコンクリートブロックの横長さの１／４を示すＬ字状マークを設けたことを特徴とする空洞コンクリートブロック
２）  マークがコンクリートブロックの空洞開口面のコンクリート面を陥凹させてＴ字状又はＬ字状に形成させた前記１）記載の空洞コンクリートブロック
にある。
【考案の効果】
【０００６】
本考案では、空洞コンクリートブロックの空洞が開口したブロック面の開口縁に、ブロックの横長さの１／２の位置にＴ字状のマークを付し、１／４及び３／４の位置にＬ字状のマークを付した。これによって、１個の空洞コンクリートブロックの半分の長さが必要な場合は、中央で対向した二つのＴ字状マークを結ぶ線上でコンクリート切断機又は切断具で切断することで、正確に半分の長さの空洞コンクリートブロックを製作できる。又同様に、横長さの１／４又は３／４の位置の二つの対向するＬ字状マークを結ぶ線上で切断機又は切断具で切断すれば、横長さ１／４又は３／４の長さの空洞コンクリートブロックを製作できる。このように、１／２の位置のＴ字状マーク、１／４，３／４の位置のＬ字状マークを結ぶように切断することで、正確な寸法で正しく直角に縦方向に切断できる。しかも複数種の寸法の規格の空洞コンクリートブロックを使用すれば、種々の寸法の半分、１／４、３／４の分割空洞コンクリートブロックが製作でき、現場で過不足の寸法に充分に対応できるものとなる。よって、実用性の高い空洞コンクリートブロック製品となる。
【図面の簡単な説明】
【０００７】
【図１】図１は本考案の実施例の空洞コンクリートブロックを示す斜視図である。
【図２】図２は同実施例の平面図である。
【図３】図３は実施例から切断される分割された空洞コンクリートブロックを示す平面図である。
【考案を実施するための形態】
【０００８】
本考案のＴ字状又はＬ字状マークは、コンクリートブロックの成形用型枠の内面の一部をＴ字状又はＬ字状に突出させることでコンクリート成形時にコンクリート表面に１ｃｍ未満の陥凹を形成して、Ｔ字状又はＬ字状のマークとすることが好ましい。又は、塗料又は顔料を塗ってＴ字状又はＬ字状のマークを形成してもよい。又、Ｔ字状又はＬ字状は小さい点（凹状，凸状，模様）の集合で形成してもよい。Ｔ字状又はＬ字状のマークは、空洞が開口したブロック面の一方又は両方に形成される。
【実施例】
【０００９】
本考案の実施例を図面に基づいて説明する。実施例は、横幅３９０ｍｍ×高さ１９５ｍｍで奥行が１５０ｍｍのコンクリートブロックの例であり、空洞は３個形成し、Ｔ字状及びＬ字状マークは、コンクリート成形用型枠の内面に形成したＴ字状又はＬ字状の１ｃｍ未満の突起によってブロックの型枠によるコンクリート成形と同時にコンクリート面を陥凹させてＴ字状マーク３とＬ字状マーク４を形成させる。
【００１０】
図中、Ａは実施例のコンクリートブロック、１はそのブロック本体、２は空洞部、３はＴ字状マーク、４はＬ字状マーク、５はブロック本体の左右端に形成したコ字状突出部である。
【００１１】
コンクリートブロック工事で、ブロック長さの半分の横長さのコンクリートブロックが必要な場合は、本実施例のコンクリートブロックＡの中間の対向したＴ字状マーク３を結ぶ線でコンクリートカッターで切断すると、半分の横長さ１９５ｍｍのコンクリートブロックＢが２個作製できる。又対向するＬ字状マーク４を結ぶラインで切断すると、３／４の２９２．５ｍｍの横幅のコンクリートブロックＣと、１／４の９７．５ｍｍのコンクリートブロックＤが容易に作製できる。一つのコンクリートブロックＡを左右の一対のＬ字状マーク４で切断すると、９７．５ｍｍのコンクリートブロックＤが２個と、１９５ｍｍのコンクリートブロックＥ（コンクリートブロックＢと同じ寸法形状のコンクリートブロック）が作製される。
更に、Ｔ字状マーク３とＬ字状マーク４の全部で切断すると、９７．５ｍｍのコンクリートブロックＦ（コンクリートブロックＤと同じ寸法形状のコンクリートブロック）が４個作製される。このように、一つのコンクリートブロックＡから新しく３種類の短い寸法のコンクリートブロックが現場で容易に製作できることとなる。
【００１２】
しかも、この１／４，１／２，３／４のコンクリートブロックの横幅の小さなコンクリートブロックが、対向するＴ字状マーク３又はＬ字状マーク４を用いて切断することで正確な長さで切断でき、又ブロックを直角に切断できる。この小さなブロックで短い長さのブロック設置空間を埋めることができる。特別の寸法のコンクリートブロックを成形して用意する必要がないので、工事コストが安くできる。
【００１３】
特に、横長さが違う複数のｎ種のコンクリートブロックＡを使用すれば、３ｎ種類の寸法長さのコンクリートブロックが現場で作製でき、所要の空間を埋めるように配列できる。
【産業上の利用可能性】
【００１４】
本考案は、土木建築で用いられる塀ブロック、基礎ブロックとしての一般的なコンクリートブロックの他に、花壇・道路・土地・畑の境界ブロックとしての使用、あるいは屋内・屋外での物置台としてのコンクリートブロックにも利用できる。
【符号の説明】
【００１５】
Ａ    コンクリートブロック
１    ブロック本体
２    空洞部
３    Ｔ字状マーク
４    Ｌ字状マーク
５    コ字状突出部
【図１】
0003158144.tif 000003
【図２】
0003158144.tif 000004
【図３】
0003158144.tif 000005